(57)【要約】【課題】広角で、レンズ全長が短く、結像性能に優れたズームレンズ系を提供する。【解決手段】物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、パワーを有する第５レンズ群Ｇ５と、を含み、第１レンズ群Ｇ１は、１枚のレンズ素子で構成されズーミングの際に、光軸に沿って移動し、ズーミングの際に各レンズ群の間隔が変化するように全レンズ群が相対移動し、以下の条件式を満足する。１．２＜ＢＦｗ／ｆｗ＜５、ＢＦｗ：広角端におけるズームレンズのバックフォーカス、ｆｗ：広角端におけるズームレンズの焦点距離。【選択図】図１
2017125884.tif 000002
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
第５レンズ群を含む後続レンズ群からなり、
ズーミングの際に各レンズ群の間隔が変化するように全レンズ群が相対移動し、
前記第１レンズ群は、１枚のレンズ素子で構成され、ズーミングの際に光軸に沿って移動し、
以下の条件式を満足することを特徴とする、ズームレンズ系：
１．２＜  ＢＦｗ／ｆｗ  ＜５  ・・・（１）
ただし、
ＢＦｗ：広角端におけるズームレンズ系のバックフォーカスの空気換算長
ｆｗ：広角端におけるズームレンズ系の焦点距離
である。
【請求項２】
以下の条件（２）を満足する、請求項１に記載のズームレンズ系：
４．９＜  ｆ１／ｆｗ  ＜１０．５  ・・・（２）
ただし、
ｆ１：第１レンズ群の焦点距離
である。
【請求項３】
以下の条件（３）を満足する、請求項１または２に記載のズームレンズ系：
０．０９＜  ｜ｆ２／ｆ１｜  ＜０．２１   ・・・（３）
ただし、
ｆ２：第２レンズ群の焦点距離
である。
【請求項４】
以下の条件（４）を満足する、請求項１から３のいずれかに記載のズームレンズ系：
４４ ＜  νｄ１  ＜６０  ・・・（４）
ただし、
νｄ１：第１レンズ群Ｇ１の単レンズ素子のアッベ数
である。
【請求項５】
開口絞りをさらに備え、
前記開口絞りより像面側に位置するいずれかのレンズ群は、無限遠合焦状態から近接物体合焦状態へのフォーカシングの際に光軸に沿って移動するフォーカスレンズ群である、
請求項１から４のいずれかに記載のズームレンズ系。
【請求項６】
前記フォーカスレンズ群は、負のパワーを有する単レンズ素子である、
請求項５に記載のズームレンズ系。
【請求項７】
以下の条件（５）を満足する、請求項１から６のいずれかに記載のズームレンズ系：
０．１９＜  ｜Ｚ４／ｆ４｜  ＜０．４２    ・・・（５）
ただし、
Ｚ４：広角端から望遠端へのズーミング時における第４レンズ群の移動量
ｆ４：第４レンズ群の焦点距離
である。
【請求項８】
以下の条件（６）を満足する、請求項１から７のいずれかに記載のズームレンズ系：
１．１９＜  Ｌｔ／Ｌｗ  ＜１．４３  ・・・（６）
ただし、
Ｌｗ：広角端におけるレンズ全長（最物体側レンズ面から像面までの空気換算での距離）、
Ｌｔ：望遠端におけるレンズ全長
である。
【請求項９】
前記第４レンズ群は、以下の条件（７）を満足する、請求項１から８のいずれかに記載のズームレンズ系：
１．８５  ＜  ｎ  ＜  ２．１・・・（７）
ただし、
ｎ：第４レンズ群の内、負レンズ素子のｄ線に対する屈折率
である。
【請求項１０】
以下の条件（８）：
２．８＜  ｜ｆ４／ｆｗ｜  ＜５．５  ・・・（８）
を満足する、請求項１から９のいずれかに記載のズームレンズ系。
【請求項１１】
以下の条件（９）を満足する、請求項１から１０のいずれかに記載のズームレンズ系：
３．７＜  ｜ｆ４／Ｈ｜  ＜７．０  ・・・（９）
ただし、
Ｈ：レンズ系の像高
である。
【請求項１２】
以下の条件（１０）：
５．８＜  Ｌｗ／ｆｗ  ＜７．２  ・・・（１０）
を満足する、請求項１から１１のいずれかに記載のズームレンズ系。
【請求項１３】
以下の条件（１１）：
７．６＜ Ｌｗ／Ｈ ＜９．３  ・・・（１１）
を満足する、請求項１から１２のいずれかに記載のズームレンズ系。
【請求項１４】
前記開口絞りの前後には、撮影時の広角端から望遠端へのズーミングの際に光軸に沿って移動するレンズ群が少なくとも１つ以上配置される、
請求項５から１３に記載のズームレンズ系。
【請求項１５】
前記フォーカスレンズ群は、無限遠合焦状態から近接物体合焦状態へのフォーカシングの際に、光軸に沿って像側へ移動する、
請求項５から１４に記載のズームレンズ系。
【請求項１６】
前記開口絞りは、広角端から望遠端へのズーミングの際に、第３レンズ群と一体で移動する、
請求項５から１５に記載のズームレンズ系。
【請求項１７】
請求項１に記載のズームレンズ系と、前記ズームレンズ系が形成する光学像を受光して電気的な画像信号に変換する撮像素子を含むカメラ本体との接続が可能なレンズマウントとを備える、交換レンズ装置。
【請求項１８】
請求項１７に記載の交換レンズ装置と、該交換レンズ装置とカメラマウントを介して着脱可能に接続され、前記ズームレンズ系が形成する光学像を受光して電気的な画像信号に変換する撮像素子を含むカメラ本体とを備える、カメラシステム。
【発明の詳細な説明】
【技術分野】
【０００１】
本開示は、ズームレンズ系及びカメラシステムに関する。
【背景技術】
【０００２】
特許文献１は、正負正負正の５群構成で、３枚のレンズ素子で構成される第１レンズ群がズーミングの際に移動し、第２レンズ群でフォーカシングを行い、広角端におけるズームレンズの焦点距離と広角端におけるズームレンズのバックフォーカスの比を規定したズームレンズを開示している。
【先行技術文献】
【特許文献】
【０００３】
【特許文献１】特開２０１０−２３７４５３号公報
【発明の概要】
【発明が解決しようとする課題】
【０００４】
本開示は、小型かつ広角で、全ズーム範囲で結像性能に優れたズームレンズ系を提供する。また本開示は、該ズームレンズ系を含むカメラシステムを提供する。
【課題を解決するための手段】
【０００５】
本開示におけるズームレンズ系は、物体側から像側へと順に、正のパワーを有する第１レンズ群と、負のパワーを有する第２レンズ群と、正のパワーを有する第３レンズ群と、負のパワーを有する第４レンズ群と、第５レンズ群を含む後続レンズ群からなり、第１レンズ群は、１枚のレンズ素子で構成されズーミングの際に第１レンズ群が光軸に沿って移動し、ズーミングの際に各レンズ群の間隔が変化するように全レンズ群が相対移動し、以下の条件式を満足することを特徴とする。
【０００６】
１．２＜ＢＦｗ／ｆｗ＜５  ・・・（１）
ただし、
ＢＦｗ：広角端におけるズームレンズ系のバックフォーカスの空気換算長
ｆｗ：広角端におけるズームレンズ系の焦点距離
である。
【０００７】
また、本開示における交換レンズ装置は、物体側から像側へと順に、正のパワーを有する第１レンズ群と、負のパワーを有する第２レンズ群と、正のパワーを有する第３レンズ群と、負のパワーを有する第４レンズ群と、第５レンズ群を含む後続レンズ群からなり、ズーミングの際に各レンズ群の間隔が変化するように全レンズ群が相対移動し、第１レンズ群は１枚のレンズ素子で構成されズーミングの差異に光軸に沿って移動し、以下の条件（１）を満足するズームレンズ系と、該ズームレンズ系が形成する光学像を受光して電気的な画像信号に変換する撮像素子を含むカメラの本体との接続が可能なレンズマウントとを備えることを特徴とする。
【０００８】
１．２＜ＢＦｗ／ｆｗ＜５  ・・・（１）
ただし、
ＢＦｗ：広角端におけるズームレンズ系のバックフォーカス
ｆｗ：広角端におけるズームレンズ系の焦点距離
である。
【０００９】
また、本開示におけるカメラシステムは、物体側から像側へと順に、正のパワーを有する第１レンズ群と、負のパワーを有する第２レンズ群と、正のパワーを有する第３レンズ群と、負のパワーを有する第４レンズ群と、第５レンズ群を含む後続レンズ群からなり、ズーミングの際に各レンズ群の間隔が変化するように全レンズ群が相対移動し、第１レンズ群は１枚のレンズ素子で構成されズーミングの差異に光軸に沿って移動し、以下の条件（１）を満足するズームレンズ系を備える交換レンズ装置と、該交換レンズ装置とカメラマウントを介して着脱可能に接続され、該ズームレンズ系が形成する光学像を受光して電気的な画像信号に変換する撮像素子を含むカメラ本体とを備えることを特徴とする。
【００１０】
１．２＜ＢＦｗ／ｆｗ＜５  ・・・（１）
ただし、
ＢＦｗ：広角端におけるズームレンズ系のバックフォーカス
ｆｗ：広角端におけるズームレンズ系の焦点距離
である。
【発明の効果】
【００１１】
本開示は、小型でありながら広角で、全ズーム範囲で結像性能に優れたズームレンズ系を提供する。
【図面の簡単な説明】
【００１２】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の近距離合焦状態の縦収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の近距離合焦状態の縦収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の近距離合焦状態の縦収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の近距離合焦状態の縦収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の近距離合焦状態の縦収差図
【図１６】実施の形態６（数値実施例６）に係るズームレンズ系の無限遠合焦状態を示すレンズ配置図
【図１７】数値実施例６に係るズームレンズ系の無限遠合焦状態の縦収差図
【図１８】数値実施例６に係るズームレンズ系の近距離合焦状態の縦収差図
【図１９】本開示にかかる、ズームレンズ系を搭載したカメラシステムの構成図
【発明を実施するための形態】
【００１３】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本開示を充分に理解するために添付図面および以下の説明を提供するのであって、これらによって請求の範囲に記載の主題を限定することを意図するものではない。
【００１５】
図１、４、７、１０、１３及び１６は、各々実施の形態１〜６に係るズームレンズ系のレンズ配置図であり、いずれも無限遠合焦状態にあるズームレンズ系を表している。
【００１６】
各図においては、（ａ）広角端（最短焦点距離状態：焦点距離ｆＷ）、（ｂ）中間位置（中間焦点距離状態：焦点距離ｆＭ＝√（ｆＷ＊ｆＴ））、（ｃ）望遠端（最長焦点距離状態：焦点距離ｆＴ）のレンズ構成を表している。各図において設けられた矢印は、上から順に、広角端、中間位置、望遠端の各状態におけるレンズ群の位置を結んで得られる。
【００１７】
各図において、レンズ群に付された矢印は、無限遠合焦状態から近接物体合焦状態へのフォーカシングを表す。すなわち、フォーカシングレンズ群が無限遠合焦状態から近接物体合焦状態へのフォーカシングの際に移動する方向を示している。なお各図では、各レンズ群の符号が記載されているため、便宜上、この各レンズ群の符号の下部にフォーカシングを表す矢印を付しているが、各ズーミング状態において、フォーカシングの際に各レンズ群が移動する方向は、実施の形態ごとに後に具体的に説明する。
【００１８】
各図において、各レンズ群の符号に付された記号（＋）及び記号（−）は、各レンズ群のパワーの符号に対応する。また各図において、最も右側に記載された直線は、像面Ｓの位置を表す。
【００１９】
（実施の形態１）
図１に示すように、第１レンズ群Ｇ１は、物体側に凸面を向けた正メニスカス形状の第１レンズ素子Ｌ１のみからなる。
【００２０】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４とからなる。第３レンズ素子Ｌ３の両面が非球面である。
【００２１】
第３レンズ群Ｇ３は、物体側から像側へと順に、開口絞りＡと、物体側に凸面を向けた正メニスカス形状の第５レンズ素子Ｌ５と、像面側に凸面を向けた正メニスカス形状の第６レンズ素子Ｌ６と、像面側に凸面を向けた負メニスカス形状の第７レンズ素子Ｌ７と、像面側に凸面を向けた正メニスカス形状の第８レンズ素子Ｌ８とからなる。また、第８レンズ素子Ｌ８の両面が非球面である。また、第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１３が付与されている。
【００２２】
第４レンズ群Ｇ４は、物体側に凸面を向けた負メニスカス形状の第９レンズ素子Ｌ９のみからなる。
【００２３】
第５レンズ群Ｇ５は、物体側から像側へと順に、物体側に凸面を向けた負メニスカス形状の第１０レンズ素子Ｌ１０と、物体側に凸面を向けた正メニスカス形状の第１１レンズ素子Ｌ１１とからなる。
【００２４】
第６レンズ群Ｇ６は、両凸形状の第１２レンズ素子Ｌ１２のみからなる。
【００２５】
撮像時のズーミングにおいて、広角端に対して望遠端では、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は広くなり、第４レンズ群Ｇ４と第５レンズ群Ｇ５との間隔は広くなり、第５レンズ群Ｇ５と第６レンズ群Ｇ６との間隔は広くなるように、各レンズ群が光軸に沿って移動する。
【００２６】
無限遠合焦状態から近接物体合焦状態へのフォーカシングの際に、フォーカシングレンズ群である第４レンズ群Ｇ４は、いずれのズーミング状態でも光軸に沿って像側へ移動する。
【００２７】
（実施の形態２）
図４に示すように、第１レンズ群Ｇ１は、物体側に凸面を向けた正メニスカス形状の第１レンズ素子Ｌ１のみからなる。
【００２８】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４とからなる。第３レンズ素子Ｌ３の両面が非球面である。
【００２９】
第３レンズ群Ｇ３は、物体側から像側へと順に、開口絞りＡと、物体側に凸面を向けた正メニスカス形状の第５レンズ素子Ｌ５と、像面側に凸面を向けた正メニスカス形状の第６レンズ素子Ｌ６と、像面側に凸面を向けた負メニスカス形状の第７レンズ素子Ｌ７と、像面側に凸面を向けた正メニスカス形状の第８レンズ素子Ｌ８とからなる。また、第８レンズ素子Ｌ８の両面が非球面である。また、第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１３が付与されている。
【００３０】
第４レンズ群Ｇ４は、物体側に凸面を向けた負メニスカス形状の第９レンズ素子Ｌ９のみからなる。
【００３１】
第５レンズ群Ｇ５は、物体側から像側へと順に、両凹形状の第１０レンズ素子Ｌ１０と、両凸形状の第１１レンズ素子Ｌ１１とからなる。
【００３２】
第６レンズ群Ｇ６は、両凸形状の第１２レンズ素子Ｌ１２のみからなる。
【００３３】
撮像時のズーミングにおいて、広角端に対して望遠端では、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は広くなり、第４レンズ群Ｇ４と第５レンズ群Ｇ５との間隔は広くなり、第５レンズ群Ｇ５と第６レンズ群Ｇ６との間隔は広くなるように、各レンズ群が光軸に沿って移動する。
【００３４】
無限遠合焦状態から近接物体合焦状態へのフォーカシングの際に、フォーカシングレンズ群である第４レンズ群Ｇ４は、いずれのズーミング状態でも光軸に沿って像側へ移動する。
【００３５】
（実施の形態３）
図７に示すように、第１レンズ群Ｇ１は、物体側に凸面を向けた正メニスカス形状の第１レンズ素子Ｌ１のみからなる。
【００３６】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４とからなる。第３レンズ素子Ｌ３の両面が非球面である。
【００３７】
第３レンズ群Ｇ３は、物体側から像側へと順に、開口絞りＡと、物体側に凸面を向けた正メニスカス形状の第５レンズ素子Ｌ５と、像面側に凸面を向けた正メニスカス形状の第６レンズ素子Ｌ６と、像面側に凸面を向けた負メニスカス形状の第７レンズ素子Ｌ７と、像面側に凸面を向けた正メニスカス形状の第８レンズ素子Ｌ８とからなる。また、第８レンズ素子Ｌ８の両面が非球面である。また、第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１３が付与されている。
【００３８】
第４レンズ群Ｇ４は、物体側に凸面を向けた負メニスカス形状の第９レンズ素子Ｌ９のみからなる。
【００３９】
第５レンズ群Ｇ５は、物体側から像側へと順に、両凹形状の第１０レンズ素子Ｌ１０と、両凸形状の第１１レンズ素子Ｌ１１とからなる。
【００４０】
第６レンズ群Ｇ６は、像面側に凸面を向けた負メニスカス形状の第１２レンズ素子Ｌ１２のみからなる。
【００４１】
撮像時のズーミングにおいて、広角端に対して望遠端では、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は広くなり、第４レンズ群Ｇ４と第５レンズ群Ｇ５との間隔は広くなり、第５レンズ群Ｇ５と第６レンズ群Ｇ６との間隔は広くなるように、各レンズ群が光軸に沿って移動する。
【００４２】
無限遠合焦状態から近接物体合焦状態へのフォーカシングの際に、フォーカシングレンズ群である第４レンズ群Ｇ４は、いずれのズーミング状態でも光軸に沿って像側へ移動する。
【００４３】
（実施の形態４）
図１０に示すように、第１レンズ群Ｇ１は、物体側に凸面を向けた正メニスカス形状の第１レンズ素子Ｌ１のみからなる。
【００４４】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４とからなる。第３レンズ素子Ｌ３の両面が非球面である。
【００４５】
第３レンズ群Ｇ３は、物体側から像側へと順に、開口絞りＡと、物体側に凸面を向けた正メニスカス形状の第５レンズ素子Ｌ５と、像面側に凸面を向けた正メニスカス形状の第６レンズ素子Ｌ６と、像面側に凸面を向けた負メニスカス形状の第７レンズ素子Ｌ７と、像面側に凸面を向けた正メニスカス形状の第８レンズ素子Ｌ８とからなる。また、第８レンズ素子Ｌ８の両面が非球面である。また、第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１３が付与されている。
【００４６】
第４レンズ群Ｇ４は、物体側に凸面を向けた負メニスカス形状の第９レンズ素子Ｌ９のみからなる。
【００４７】
第５レンズ群Ｇ５は、物体側から像側へと順に、両凹形状の第１０レンズ素子Ｌ１０と、両凸形状の第１１レンズ素子Ｌ１１とからなる。
【００４８】
第６レンズ群Ｇ６は、両凹形状の第１２レンズ素子Ｌ１２のみからなる。
【００４９】
撮像時のズーミングにおいて、広角端に対して望遠端では、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は広くなり、第４レンズ群Ｇ４と第５レンズ群Ｇ５との間隔は広くなり、第５レンズ群Ｇ５と第６レンズ群Ｇ６との間隔は広くなるように、各レンズ群が光軸に沿って移動する。
【００５０】
無限遠合焦状態から近接物体合焦状態へのフォーカシングの際に、フォーカシングレンズ群である第４レンズ群Ｇ４は、いずれのズーミング状態でも光軸に沿って像側へ移動する。
【００５１】
（実施の形態５）
図１３に示すように、第１レンズ群Ｇ１は、物体側に凸面を向けた正メニスカス形状の第１レンズ素子Ｌ１のみからなる。
【００５２】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４とからなる。第３レンズ素子Ｌ３の両面が非球面である。
【００５３】
第３レンズ群Ｇ３は、物体側から像側へと順に、開口絞りＡと、物体側に凸面を向けた正メニスカス形状の第５レンズ素子Ｌ５と、像面側に凸面を向けた正メニスカス形状の第６レンズ素子Ｌ６と、像面側に凸面を向けた負メニスカス形状の第７レンズ素子Ｌ７と、両凸形状の第８レンズ素子Ｌ８とからなる。また、第８レンズ素子Ｌ８の両面が非球面である。また、第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１３が付与されている。
【００５４】
第４レンズ群Ｇ４は、物体側に凸面を向けた負メニスカス形状の第９レンズ素子Ｌ９のみからなる。
【００５５】
第５レンズ群Ｇ５は、物体側から像側へと順に、両凹形状の第１０レンズ素子Ｌ１０と、物体側に凸面を向けた正メニスカス形状の第１１レンズ素子Ｌ１１と、物体側に凸面を向けた正メニスカス形状の第１２レンズ素子Ｌ１２とからなる。
【００５６】
撮像時のズーミングにおいて、広角端に対して望遠端では、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は広くなり、第４レンズ群Ｇ４と第５レンズ群Ｇ５との間隔は広くなるように、各レンズ群が光軸に沿って移動する。
【００５７】
無限遠合焦状態から近接物体合焦状態へのフォーカシングの際に、フォーカシングレンズ群である第４レンズ群Ｇ４は、いずれのズーミング状態でも光軸に沿って像側へ移動する。
【００５８】
（実施の形態６）
図１６に示すように、第１レンズ群Ｇ１は、物体側に凸面を向けた正メニスカス形状の第１レンズ素子Ｌ１のみからなる。
【００５９】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４とからなる。第３レンズ素子Ｌ３の両面が非球面である。
【００６０】
第３レンズ群Ｇ３は、物体側から像側へと順に、開口絞りＡと、物体側に凸面を向けた正メニスカス形状の第５レンズ素子Ｌ５と、像面側に凸面を向けた正メニスカス形状の第６レンズ素子Ｌ６と、像面側に凸面を向けた負メニスカス形状の第７レンズ素子Ｌ７と、像面側に凸面を向けた正メニスカス形状の第８レンズ素子Ｌ８とからなる。また、第８レンズ素子Ｌ８の両面が非球面である。また、第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１３が付与されている。
【００６１】
第４レンズ群Ｇ４は、物体側に凸面を向けた負メニスカス形状の第９レンズ素子Ｌ９のみからなる。
【００６２】
第５レンズ群Ｇ５は、物体側から像側へと順に、物体側に凸面を向けた負メニスカス形状の第１０レンズ素子Ｌ１０と、物体側に凸面を向けた正メニスカス形状の第１１レンズ素子Ｌ１１とからなる。
【００６３】
撮像時のズーミングにおいて、広角端に対して望遠端では、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は不変であり、第４レンズ群Ｇ４と第５レンズ群Ｇ５との間隔は広くなるように、各レンズ群が光軸に沿って移動する。
【００６４】
無限遠合焦状態から近接物体合焦状態へのフォーカシングの際に、フォーカシングレンズ群である第４レンズ群Ｇ４は、いずれのズーミング状態でも光軸に沿って像側へ移動する。
【００６５】
このように、実施の形態１〜６に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、第５レンズ群Ｇ５とを含む後続レンズ群からなる。第１レンズ群Ｇ１は、１枚のレンズ素子で構成されている第１レンズ群Ｇ１が、ズーミングの際に、光軸に沿って移動するように構成されている。これにより、小型でありながら前玉径の大型化を抑えることができる。更に、第１レンズ群Ｇ１を正のパワーの１枚のレンズ素子で構成することにより、薄型化を図りズームレンズ全長の短縮化を実現できる。また、実施の形態１〜６に係るズームレンズ系では、第１レンズ群Ｇ１に正のパワーを持たせることで、負のパワーの第２レンズ群Ｇ２に入射する光線の高さを低くすることができる。これにより、第２レンズ群の有効径とその像側に配置された開口絞りＡの有効径を小さく抑えることができる。
【００６６】
実施の形態１〜６に係るズームレンズ系は、フォーカスレンズ群が開口絞りより像面側に配置されることが望ましい。これにより、フォーカス群の小径化と軽量化が可能となる。更に、フォーカシングに伴う光線高さの変化による収差変動を抑えることができる。また、フォーカスレンズ群は、負のパワーを有する単レンズ素子で構成されることが望ましい。これにより、フォーカスレンズより物体側のレンズの集光作用を高め、フォーカスレンズを小径化することができる。更に、フォーカスレンズ群の軽量化が可能となる。
【００６７】
実施の形態１〜６に係るズームレンズ系は、フォーカスレンズ群である第４レンズ群Ｇ４が無限遠合焦状態から近接物体合焦状態へのフォーカシングの際に光軸に沿って像側へ移動することが望ましい。これにより、フォーカシング際の球面収差と像面湾曲を抑えることができる。
【００６８】
実施の形態１〜６に係るズームレンズ系は、開口絞りＡが広角端から望遠端へのズーミングの際に、第３レンズ群と一体で移動することが望ましい。これにより、開口絞りの有効径を小さく抑えることができる。更に、絞り機構の簡略化およびレンズ鏡筒の小型化が可能となる。
【００６９】
また、実施の形態１〜６に係るズームレンズ系では、開口絞りの前後に、撮影時の広角端から望遠端へのズーミングの際に光軸に沿って移動するレンズ群が少なくとも１つ以上配置されることが望ましい。これにより、ズームレンズ系の小型化を図りつつ、結像性能の向上が可能となる。
【００７０】
以下、例えば実施の形態１〜６に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００７１】
例えば実施の形態１〜６に係るズームレンズ系のように、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、第５レンズ群Ｇ５を含む後続レンズ群からなり、第１レンズ群Ｇ１は、１枚のレンズ素子で構成され、ズーミングの際に各レンズ群レンズ群の間隔が変化するように全レンズ群が相対移動し、ズーミングに際に第１レンズ群Ｇ１は光軸に沿って移動する（以下、このレンズ構成を、実施の形態の基本構成という）ズームレンズ系は、以下の条件（１）を満足する。
【００７２】
１．２＜ ＢＦｗ／ｆｗ＜５  ・・・（１）
ただし、
ＢＦｗ：広角端におけるズームレンズ系のバックフォーカス
ｆｗ：広角端におけるズームレンズ系の焦点距離
である。
【００７３】
条件（１）は、広角端におけるバックフォーカスと広角端の焦点距離の比を規定する条件である。実施の形態１〜６に係るズームレンズ系は、条件（１）を満足するので、広角でありながら光学性能を良好に維持でき、レンズ全長の短縮化が実現されている。条件（１）の上限を上回ると、バックフォーカスが長くなり、レンズ系の小型化と球面収差の発生を抑制することが困難となる。条件（１）の下限を下回ると、バックフォーカスが短くなり、撮像素子やローパスフィルターなど各種の光学部材を配置するためのスペースの確保が困難となる。また、レンズ群のパワーが強くなり、非点収差の発生を抑制することが困難となる。さらに、以下の条件（１）’、（１）’’の少なくともいずれか１つを満足することにより、前記した効果をさらに奏功させることができる。
【００７４】
１．３＜ＢＦｗ／ｆｗ  ・・・（１）’
ＢＦｗ／ｆｗ＜  ４．５  ・・・（１）’’
また、実施の形態１〜６に係るズームレンズ系は、以下の条件（２）を満足することが望ましい。
【００７５】
４．９＜  ｆ１／ｆＷ  ＜１０．５  ・・・（２）
ただし、
ｆ１：第１レンズ群Ｇ１の焦点距離
である。
【００７６】
条件（２）は、第１レンズ群Ｇ１の焦点距離と広角端における全系の焦点距離の比を規定する条件である。条件（２）の上限を上回ると、広角端から望遠端へのズーミングにおける第１レンズ群Ｇ１の繰り出し量が増加してしまうため、光学系が大型化してしまう。条件（２）の下限を下回ると、第１レンズ群Ｇ１のパワーが強くなり、望遠端で発生する軸上色収差の補正が困難となる。さらに、以下の条件（２）’、（２）’’の少なくともいずれか１つを満足することにより、前記効果をさらに奏功させることができる。
【００７７】
５．１＜ｆ１／ｆｗ  ・・・（２）’
ｆ１／ｆｗ＜  １０．３  ・・・（２）’’
また、実施の形態１〜６に係るズームレンズ系は、以下の条件（３）を満足することが望ましい。
【００７８】
０．０９＜  ｜ｆ２／ｆ１｜  ＜０．２１  ・・・（３）
ただし、
ｆ２：第２レンズ群の焦点距離
である。
【００７９】
条件（３）は、第１レンズ群の焦点距離と第２レンズ群Ｇ２の焦点距離の比を規定する条件である。条件（３）の上限を上回ると、第１レンズ群Ｇ１のパワーが増加し、望遠端で発生する軸上色収差の補正が困難となる。条件（３）の下限を下回ると、第２レンズ群Ｇ２のパワーが強くなり、像面湾曲の補正が困難となる。さらに、以下の条件（３）’、（３）’’の少なくともいずれか１つを満足することにより、前記効果をさらに奏功させることができる。
【００８０】
０．１１＜｜ｆ２／ｆ１｜  ・・・（３）’  ｜ｆ２／ｆ１｜＜  ０．１９  ・・・（３）’’
また、実施の形態１〜６に係るズームレンズ系は、以下の条件（４）を満足することが望ましい。
【００８１】
４４ ＜  νｄ１  ＜６０  ・・・（４）
ただし、
νｄ１：第１レンズ群Ｇ１の単レンズ素子のアッベ数
である。
【００８２】
条件（４）は、第１レンズ群Ｇ１の単レンズ素子のアッベ数を規定する条件である。実施の形態１〜６に係るズームレンズ系は、条件（４）を満足することで、色収差の制御が容易になる。条件（４）の上限を上回ると、倍率色収差の補正が困難となる。条件（４）の下限を下回ると、望遠端で発生する軸上色収差の補正が困難となる。さらに、以下の条件（４）’、（４）’’の少なくともいずれか１つを満足することにより、前記した効果をさらに奏功させることができる。
【００８３】
４５＜νｄ１  ・・・（４）’  νｄ１＜  ５９  ・・・（４）’’
また、実施の形態１〜６に係るズームレンズ系は、以下の条件（５）を満足することが望ましい。
【００８４】
０．１９＜  ｜Ｚ４／ｆ４｜  ＜０．４２    ・・・（５）
ただし、
Ｚ４：広角端から望遠端へのズーミング時における第４レンズ群の移動量
ｆ４：第４レンズ群Ｇ４の焦点距離
である。
【００８５】
条件（５）は、広角端から望遠端へのズーミングの際に第４レンズ群Ｇ４の移動量と第４レンズ群Ｇ４の焦点距離との比を規定する条件である。実施の形態１〜６に係るズームレンズ系は、条件（５）を満足することにより、ズーミング時の収差変動を抑えて優れた光学性能を得るとともに、レンズ全系を小型化することができる。条件（５）の上限を上回ると、第４レンズ群Ｇ４のパワーが強くなりすぎて、ズーミング時の収差変動が大きくなって光学性能が劣化する。条件（５）の下限を下回ると、第４レンズ群Ｇ４のパワーが弱くなりすぎて、無限遠合焦状態から近接物体合焦状態へのフォーカシングの際の移動量が大きくなってレンズ系が大型化してしまう。さらに、以下の条件（５）’、（５）’’の少なくともいずれか１つを満足することにより、前記した効果をさらに奏功させることができる。
【００８６】
０．２＜｜Ｚ４／ｆ４｜  ・・・（５）’  ｜Ｚ４／ｆ４｜＜  ０．４  ・・・（５）’’
また、実施の形態１〜６に係るズームレンズ系は、以下の条件（６）を満足することが望ましい。
【００８７】
１．１９＜  Ｌｔ／Ｌｗ  ＜１．４３  ・・・（６）
ただし、
Ｌｗ：広角端におけるレンズ全長（最物体側レンズ面から像面までの空気換算での距離）、
Ｌｔ：望遠端におけるレンズ全長
である。
【００８８】
条件（６）は、広角端から望遠端へのズーミングの際の、第１レンズ群Ｇ１の移動量に関する条件である。条件（６）の上限を上回ると、第１レンズ群Ｇ１の移動量が大きくなり、小型な鏡筒を提供することが困難となる。条件（６）の下限を下回ると、広角端における光学全長が大きくなり、レンズ系が大型化してしまう。さらに、以下の条件（６）’、（６）’’の少なくともいずれか１つを満足することにより、前記した効果をさらに奏功させることができる。
【００８９】
１．２１＜Ｌｔ／Ｌｗ  ・・・（６）’
Ｌｔ／Ｌｗ＜  １．４１  ・・・（６）’’
また、実施の形態１〜６に係るズームレンズ系の第４レンズ群Ｇ４は、以下の条件（７）を満足することが望ましい。
【００９０】
１．８５  ＜  ｎ  ＜  ２．１・・・（７）
ただし、
ｎ：第４レンズ群Ｇ４の内、負レンズ素子のｄ線に対する屈折率
である。
【００９１】
条件（７）は、第４レンズ群Ｇ４の中の負レンズ素子のｄ線に対する屈折率を規定する条件である。実施の形態１〜６に係るズームレンズ系は、条件（７）を満足することにより、最至近撮影距離で非点収差や像面湾曲を良好に補正することができる。条件（７）の上限を上回ると、諸収差の発生量が大きくなる。反対に条件（７）の下限を下回ると、無限遠合焦状態から近接物体合焦状態へのフォーカシングの際に発生する諸収差の補正ができなくなるとともに、第４レンズ群Ｇ４の移動距離が大きくなり、小型化が困難になる。さらに、以下の条件（７）’、（７）’’の少なくともいずれか１つを満足することにより、前記した効果をさらに奏功させることができる。
【００９２】
１．９＜ｎ  ・・・（７）’
ｎ＜  ２．０５  ・・・（７）’’ 
また、実施の形態１〜６に係るズームレンズ系は、以下の条件（８）を満足することが望ましい。
【００９３】
１．８＜  ｜ｆ４／ｆＷ｜  ＜５．５  ・・・（８）
条件（８）は、フォーカスレンズ群の焦点距離とレンズ系の焦点距離の比を規定する条件である。実施の形態１〜６に係るズームレンズ系は、条件（８）を満足することにより、フォーカスレンズ群のパワーを適切に設定でき、フォーカシングに伴う非点収差変動の制御が容易になる。条件（８）の上限を上回ると、レンズ系全系の焦点距離が短くなりすぎ、歪曲収差の発生を抑制することが困難になる。反対に条件（８）の下限を下回ると、フォーカスレンズ群のパワーが強くなりすぎ、非点収差の発生を抑制することが困難となる。さらに、以下の条件（８）’、（８）’’の少なくともいずれか１つを満足することにより、前記効果をさらに奏功させることができる。
【００９４】
２．９＜｜ｆ４／ｆＷ｜  ・・・（８）’
｜ｆ４／ｆＷ｜＜  ５．３  ・・・（８）’’
また、実施の形態１〜６に係るズームレンズ系は、以下の条件（９）を満足することが望ましい。
【００９５】
３．７＜  ｜ｆ４／Ｈ｜  ＜７．０  ・・・（９）
ただし、
Ｈ：レンズ系の像高
である。
【００９６】
条件（９）は、フォーカスレンズ群の焦点距離とレンズ系の像高の比を規定する条件である。実施の形態１〜６に係るズームレンズ系は、条件（９）を満足することにより、フォーカスレンズ群のパワーを適切に設定でき、フォーカシングに伴う非点収差変動の制御が容易になる。条件（９）の上限を上回ると、フォーカスレンズ群のパワーが弱くなりすぎ、フォーカスレンズ群の光軸方向移動量が大きくなり、コンパクト化の達成が困難となる。条件（９）の下限を下回ると、フォーカスレンズ群のパワーが強くなりすぎ、非点収差の発生を抑制することが困難となる。以下の条件（９）’、（９）’ ’の少なくともいずれか１つを満足することにより、前記した効果をさらに奏功させることができる。
【００９７】
３．９＜｜ｆ４／Ｈ｜  ・・・（９）’
｜ｆ４／Ｈ｜＜  ６．９  ・・・（９）’’
また、実施の形態１〜６に係るズームレンズ系は、以下の条件（１０）を満足するレンズ素子からなることが望ましい。
【００９８】
５．８＜  Ｌｗ／ｆｗ  ＜７．２  ・・・（１０）
条件（１０）は、広角端レンズ全長（最物体側レンズ面から像面までの空気換算での距離）と広角端の焦点距離の比を規定する条件である。実施の形態１〜６に係るズームレンズ系は、条件（１０）を満足することにより、レンズ系を構成するレンズ群のパワーを適切に設定でき、非点収差の制御が容易になり、同時にレンズ系の小型化を達成できる。条件（１０）の上限を上回ると、レンズ系の光学全長が大きくなりすぎ、コンパクト化の達成が困難となる。また各レンズの径が大きくなりすぎ、球面収差の発生を抑制することが困難になる。条件（１０）の下限を下回ると、レンズ系を構成するレンズ群のパワーが強くなりすぎ、非点収差の発生を抑制することが困難となる。さらに、以下の条件（１０）’、（１０）’ ’の少なくともいずれか１つを満足することにより、前記効果をさらに奏功させることができる。
【００９９】
５．９＜Ｌｗ／ｆｗ  ・・・（１０）’
Ｌｗ／ｆｗ＜  ７．１  ・・・（１０）’’
また、実施の形態１〜６に係るズームレンズ系は、以下の条件（１１）を満足するレンズ素子からなることが望ましい。
【０１００】
７．６＜ Ｌｗ／Ｈ ＜９．３  ・・・（１１）
条件（１１）は、レンズ系の光学全長とレンズ系の像高の比を規定する条件である。実施の形態１〜６に係るズームレンズ系は、条件（１１）を満足することにより、レンズ系を構成するレンズ群のパワーを適切に設定でき、像面湾曲の制御が容易になり、同時にレンズ系の小型化を達成できる。条件（１１）の上限を上回ると、レンズ系の光学全長が大きくなりすぎ、コンパクト化の達成が困難となる。また各レンズの径が大きくなりすぎ、球面収差の発生を抑制することが困難になる。条件（１１）の下限を下回ると、レンズ系を構成するレンズ群のパワーが強くなりすぎ、像面湾曲の発生を抑制することが困難となる。さらに、以下の条件（１１）’、（１１）’ ’の少なくともいずれか１つを満足することにより、前記効果をさらに奏功させることができる。
【０１０１】
７．８＜Ｌｗ／Ｈ  ・・・（１１）’
Ｌｗ／Ｈ＜  ９．２  ・・・（１１）’’
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１０２】
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
（実施の形態７）
図１９は、実施の形態７に係るレンズ交換式デジタルカメラシステムの概略構成図である。本実施の形態７に係るカメラシステム１００は、カメラ本体１０１と、カメラ本体１０１に着脱自在に接続される交換レンズ装置２０１とを備える。
【０１０３】
カメラ本体１０１は、交換レンズ装置２０１のレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜６いずれかに係るレンズ系２０２と、レンズ系２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１９においては、ズームレンズ系２０２として実施の形態１に係るレンズ系を用いた場合を図示している。
【０１０４】
本実施の形態７では、実施の形態１〜６いずれかに係るレンズ系２０２を用いているので、コンパクトで結像性能に優れた交換レンズ装置２０１を実現することができる。また、本実施の形態８に係るカメラシステム１００全体の小型化及び低コスト化も達成することができる。
【０１０５】
なお、これら実施の形態１〜６に係るズームレンズ系を用いたデジタルカメラシステムでは、全てのズーミング域を使用する必要はない。すなわち、所望のズーミング域に応じて、光学性能が確保されている範囲を切り出し、以下の対応する数値実施例１〜６で説明するズームレンズ系よりも低倍率のズームレンズ系として使用してもよい。
【０１０６】
また、以上説明した実施の形態１〜６に係るレンズ系と、ＣＣＤやＣＭＯＳ等の撮像素子とから構成される撮像装置を、スマートフォン等の携帯情報端末のカメラ、監視システムにおける監視カメラ、Ｗｅｂカメラ、車載カメラ等に適用することもできる。
【０１０７】
以上のように、本出願において開示する技術の例示として、実施の形態７を説明した。しかしながら、本開示における技術は、これに限定されず、適宜、変更、置き換え、付加、省略などを行った実施の形態にも適用可能である。
【０１０８】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【０１０９】
【数１】
2017125884.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１１０】
図２、５、８、１１、１４、及び１７は、各々数値実施例１〜６に係るズームレンズ系の無限遠合焦状態の縦収差図である。
【０１１１】
また、図３、６、９、１２、１５、及び１８は、各々数値実施例１〜６に係るズームレンズ系の近距離合焦状態の縦収差図である。
【０１１２】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
（数値実施例１）
数値実施例１のズームレンズ系は、図１に示した実施の形態１に対応する。
データ１（面データ）
面番号         r           d           nd         vd                
物面             ∞        可変                                   
1         47.88980     5.26710     1.74330    49.2               
2        141.29600        可変                                   
3         41.44430     1.20000     1.67790    55.5               
4         11.70790     7.69990                                   
5*      -177.40050     0.90000     1.52500    70.3               
6*        13.44060     2.10030                                   
7         18.67980     8.65970     1.75211    25.0               
8         70.07620        可変                                   
9(絞り)           ∞     1.50000                                   
10         16.88920     1.41220     1.51680    64.2               
11         27.08930     1.31010                                   
12        -86.50120     3.90430     1.56384    60.8               
13         -8.91750     0.01000     1.56732    42.8               
14         -8.91750     0.90000     1.90366    31.3               
15        -34.61810     0.31960                                   
16*      -125.53700     5.79220     1.61035    57.9               
17*       -11.88990        可変                                   
18        433.80010     0.90000     2.00100    29.1               
19         50.73180        可変                                   
20         44.88620     0.90000     2.00100    29.1               
21         30.31320     0.64990                                   
22         33.98880     1.43240     2.00272    19.3               
23         52.93920        可変                                   
24         95.65750     1.85610     2.00272    19.3               
25       -606.00220        可変                                   
26               ∞      BF                                       
像面             ∞
データ２（非球面データ）
第5面
K= 0.00000E+00, A4=-3.06170E-05, A6= 1.97975E-07, A8=-9.04930E-10 
A10= 0.00000E+00 
第6面
K= 0.00000E+00, A4=-8.15462E-05, A6=-4.86905E-08, A8=-4.04649E-10 
A10=-1.08240E-11 
第16面
K= 0.00000E+00, A4=-9.62940E-05, A6=-1.41546E-06, A8= 2.08380E-08 
A10=-4.70977E-10 
第17面
K= 0.00000E+00, A4= 4.35450E-06, A6=-6.37054E-07, A8= 9.29680E-09 
A10=-1.67619E-10 
データ３（各種データ）
ズーム比     2.85206
広角無限遠 中間無限遠望遠無限遠 広角近接  中間近接  望遠近接
焦点距離      18.5407   31.4504   53.3494   18.4792   31.2075   52.8794
Ｆナンバー     3.62293   4.65795   5.79676   3.63131   4.68454   5.87730
画角        38.6127   24.2523   14.7461   38.6519   24.2233   14.6099
像高        14.2000   14.2000   14.2000   14.2000   14.2000   14.2000
レンズ全長    112.0106  122.0136  149.9919  112.0106  122.0136  149.9919
ＢＦ        0.00000   0.00000   0.00000   0.00000   0.00000   0.00000
d0               ∞        ∞        ∞  887.9860  877.9005  850.0031 
d2           0.4999   14.2294   29.3798    0.4999   14.2294   29.3798 
d8          18.5034    6.8393    1.6489   18.5034    6.8393    1.6489 
d17          2.0000    5.8923    5.2359    2.3000    6.6510    6.9046 
d19          3.2805    7.0719   11.4603    2.9805    6.3132    9.7916 
d23          1.0130    1.1777   15.5532    1.0130    1.1777   15.5532 
d25         40.0000   40.0892   40.0000   40.0000   40.0892   40.0000 
入射瞳位置     22.1685   43.5821   81.5339   22.1685   43.5821   81.5339
射出瞳位置    -71.1613  -83.1563  -146.6335  -70.8890   -82.2340  -142.0941
前側主点位置   35.8795   63.1390  115.4666   35.8041   62.7914  114.2931
後側主点位置   93.4836   90.5719   96.5925   93.1438   89.7433   93.9947
データ４（単レンズデータ）
レンズ     始面     焦点距離
1         1       95.1733
2         3      -24.4696
3         5      -23.7593
4         7       31.5793
5        10       82.8826
6        12       17.3193
7        14      -13.5170
8        16       21.1108
9        18      -57.4605
10        20      -96.2474
11        22       91.2392
12        24       82.5014
データ５（ズームレンズ群データ）
群   始面    焦点距離  レンズ構成長    前側主点位置  後側主点位置
1      1    95.17332     5.26710        -1.51269       0.80401
2      3   -18.77855    20.55990         2.20100       7.31900
3      9    24.28460    15.14840        11.12029      14.95327
4     18   -57.46045     0.90000         0.50994       0.95964
5     20  2540.42030     2.98230       -41.77045     -39.89492
6     24    82.50140     1.85610         0.12652       1.05460
データ６（ズームレンズ群倍率）
群   始面  広角無限遠 中間無限遠 望遠無限遠  広角近接   中間近接   望遠近接
1      1    0.00000    0.00000    0.00000   -0.12027   -0.12183   -0.12634
2      3   -0.27125   -0.33834   -0.46538   -0.23276   -0.27988   -0.35854
3      9   -0.57205   -0.75776   -0.83044   -0.58195   -0.78464   -0.89161
4     18    2.61314    2.68866    3.03221    2.60610    2.67540    3.00318
5     20    0.95088    0.95068    0.94525    0.95091    0.95068    0.94525
6     24    0.50528    0.50426    0.50605    0.50557    0.50427    0.50605
（数値実施例２）
数値実施例２のズームレンズ系は、図４に示した実施の形態２に対応する。
データ７（面データ）
面番号         r           d           nd         vd                
物面             ∞        可変                                   
1         59.54070     4.18590     1.80420    46.5               
2        207.56310        可変                                   
3         61.25970     1.20000     1.62299    58.2               
4         11.90960     6.81040                                   
5*       -66.01980     0.90000     1.58913    61.3               
6*        16.80700     1.66980                                   
7         20.57640     6.45890     1.79925    24.6               
8        122.04220        可変                                   
9(絞り)           ∞     1.50000                                   
10         16.73680     1.62660     1.48749    70.4               
11         34.95620     1.37780                                   
12        -52.59330     3.98740     1.56384    60.8               
13         -9.06910     0.01000     1.56732    42.8               
14         -9.06910     0.96310     1.89800    34.0               
15        -34.09470     0.30000                                   
16*      -206.30500     5.07620     1.61305    59.0               
17*       -12.19520        可変                                   
18         64.29080     0.90000     2.00069    25.5               
19         33.98420        可変                                   
20        -57.45120     0.90000     2.00100    29.1               
21         86.03230     0.43540                                   
22         77.54140     2.42700     2.00272    19.3               
23        -74.72660        可変                                   
24        136.19760     1.79070     1.78590    43.9               
25       -230.56170        可変                                   
26               ∞      BF                                       
像面             ∞
データ８（非球面データ）
第5面
K= 0.00000E+00, A4=-2.72178E-05, A6= 9.74823E-08, A8=-4.99471E-10 
A10= 0.00000E+00 
第6面
K= 0.00000E+00, A4=-5.20588E-05, A6= 3.96328E-08, A8=-5.05890E-10 
A10= 1.17731E-12 
第16面
K= 0.00000E+00, A4=-9.86836E-05, A6=-1.17925E-06, A8= 1.78989E-08 
A10=-4.34913E-10 
第17面
K= 0.00000E+00, A4= 5.85634E-07, A6=-6.76439E-07, A8= 1.02646E-08 
A10=-2.05618E-10
データ９（各種データ）
ズーム比     2.83949
広角無限遠 中間無限遠望遠無限遠 広角近接  中間近接  望遠近接
焦点距離      18.5407   31.4497   53.3491   18.4742   31.1854   52.6462
Ｆナンバー     3.62281   4.65823   5.79607   3.62866   4.67684   5.85395
画角        40.7510   24.6819   14.9271   40.7314   24.6715   14.8397
像高        14.2000   14.2000   14.2000   14.2000   14.2000   14.2000
レンズ全長    112.0213  123.7133  150.0007  112.0213  123.7134  150.0007
ＢＦ        0.00000   0.00000   0.00000   0.00000   0.00000   0.00000
d0               ∞        ∞        ∞  887.9313  876.1434  849.9413 
d2           0.4993   14.3254   28.4760    0.4993   14.3254   28.4760 
d8          20.8986    9.2307    3.1240   20.8986    9.2307    3.1240 
d17          2.0000    3.7794    2.7453    2.3000    4.5229    4.2777 
d19          5.1048   12.1180   25.5090    4.8048   11.3746   23.9766 
d23          0.9994    0.5094    7.5039    0.9994    0.5094    7.5039 
d25         40.0000   41.2312   40.1233   40.0000   41.2312   40.1233 
入射瞳位置     19.8673   39.6545   69.0755   19.8673   39.6545   69.0755
射出瞳位置    -74.9294  -89.9015  -140.8862  -74.7156   -89.2526  -138.6792
前側主点位置   33.8211   60.1027  102.2159   33.7510   59.8095  101.2735
後側主点位置   93.4937   92.2670   96.6023   93.1800   91.4434   94.2189
データ１０（単レンズデータ）
レンズ     始面     焦点距離
1         1      102.5257
2         3      -23.9539
3         5      -22.6483
4         7       30.1140
5        10       63.9989
6        12       18.8146
7        14      -14.0143
8        16       20.9342
9        18      -73.1285
10        20      -34.3054
11        22       38.2559
12        24      109.1802
データ１１（ズームレンズ群データ）
群   始面    焦点距離  レンズ構成長    前側主点位置  後側主点位置
1      1   102.52569     4.18590        -0.92162       0.97308
2      3   -19.08701    17.03910         1.51022       5.16589
3      9    23.81350    14.84110        10.61446      14.12003
4     18   -73.12846     0.90000         0.96866       1.41204
5     20  -500.10894     3.76240       -17.15921     -16.17253
6     24   109.18022     1.79070         0.37315       1.15901
データ１２（ズームレンズ群倍率）
群   始面  広角無限遠 中間無限遠 望遠無限遠  広角近接   中間近接   望遠近接
1      1    0.00000    0.00000    0.00000   -0.13069   -0.13269   -0.13734
2      3   -0.24403   -0.29643   -0.37992   -0.20834   -0.24472   -0.29675
3      9   -0.54974   -0.72936   -0.84635   -0.55853   -0.75209   -0.89696
4     18    1.83218    1.95450    2.17674    1.82802    1.94400    2.15574
5     20    1.17208    1.17741    1.18539    1.17206    1.17734    1.18538
6     24    0.62773    0.61654    0.62717    0.62775    0.61666    0.62719
（数値実施例３）
数値実施例３のズームレンズ系は、図７に示した実施の形態３に対応する。
データ１３（面データ）
面番号         r           d           nd         vd                
物面             ∞        可変                                   
1         57.15930     4.14170     1.80420    46.5               
2        202.23970        可変                                   
3         54.29230     1.20000     1.62041    60.3               
4         11.50530     7.49050                                   
5*       -43.80140     0.90120     1.56580    61.1               
6*        20.61070     1.55400                                   
7         23.46110     8.87880     1.78472    25.7               
8        182.15760        可変                                   
9(絞り)           ∞     1.60930                                   
10         16.49360     1.63240     1.48749    70.4               
11         33.40610     1.36440                                   
12        -71.16670     4.01110     1.56384    60.8               
13         -9.49420     0.01000     1.56732    42.8               
14         -9.49420     0.90390     1.91082    35.2               
15        -39.83010     0.35820                                   
16*      -200.15060     5.07550     1.61305    59.0               
17*       -12.36960        可変                                   
18         74.24680     0.90000     2.00069    25.5               
19         35.02460        可変                                   
20       -832.97860     0.90000     1.95375    32.3               
21        132.59800     0.30000                                   
22         59.52010     2.18850     2.00272    19.3               
23       -398.30280        可変                                   
24       -407.69940     0.90000     2.00272    19.3               
25      -1517.43940        可変                                   
26               ∞      BF                                       
像面             ∞
データ１４（非球面データ）
第5面
K= 0.00000E+00, A4=-2.63585E-05, A6= 1.12625E-07, A8=-9.42863E-10 
A10= 0.00000E+00 
第6面
K= 0.00000E+00, A4=-4.91201E-05, A6= 1.31848E-07, A8=-1.58596E-09 
A10= 4.89045E-12 
第16面
K= 0.00000E+00, A4=-9.71588E-05, A6=-1.30975E-06, A8= 2.09258E-08 
A10=-4.65143E-10 
第17面
K= 0.00000E+00, A4=-1.70952E-06, A6=-7.29287E-07, A8= 1.07878E-08 
A10=-2.09008E-10
データ１５（各種データ）
ズーム比     2.83800
広角無限遠 中間無限遠望遠無限遠 広角近接  中間近接  望遠近接
焦点距離      18.5406   31.4502   53.3498   18.4739   31.1887   52.6182
Ｆナンバー     3.62295   4.65803   5.79603   3.63011   4.68063   5.86648
画角        40.7694   24.7033   14.9718   40.7459   24.6630   14.8509
像高        14.2000   14.2000   14.2000   14.2000   14.2000   14.2000
レンズ全長    112.0157  123.2624  149.8093  112.0157  123.2624  149.8093
ＢＦ        0.00000   0.00000   0.00000   0.00000   0.00000   0.00000
d0               ∞        ∞        ∞  887.9845  876.7410  850.1870 
d2           0.4995   12.9220   28.3098    0.4995   12.9220   28.3098 
d8          19.8065    7.9153    1.9914   19.8065    7.9153    1.9914 
d17          2.0000    4.3158    4.1619    2.3000    5.0716    5.8356 
d19          4.3917   10.5009   27.8549    4.0917    9.7451   26.1812 
d23          0.9985    1.5716    2.4596    0.9985    1.5716    2.4596 
d25         40.0000   41.7173   40.7122   40.0000   41.7173   40.7122 
入射瞳位置     20.2706   37.9772   71.7460   20.2706   37.9772   71.7460
射出瞳位置    -69.6360  -84.5324  -125.7688  -69.4284  -83.8665  -123.3535
前側主点位置   33.8765   57.7271  102.4590   33.8035   57.4142  101.3347
後側主点位置   93.5005   91.8175   96.4241   93.1859   90.9816   94.0607
データ１６（単レンズデータ）
レンズ     始面     焦点距離
1         1       97.8339
2         3      -23.7867
3         5      -24.6467
4         7       33.4934
5        10       64.7803
6        12       18.9855
7        14      -13.8833
8        16       21.2874
9        18      -67.0241
10        20     -119.8817
11        22       51.7654
12        24     -556.1931
データ１７（ズームレンズ群データ）
群   始面    焦点距離  レンズ構成長    前側主点位置  後側主点位置
1      1    97.83387     4.14170        -0.89306       0.98190
2      3   -18.76053    20.02450         1.74479       6.56465
3      9    24.75312    14.96480        10.64246      14.04904
4     18   -67.02408     0.90000         0.86143       1.30637
5     20    90.43339     3.38850         1.28056       2.81695
6     24  -556.19310     0.90000        -0.16516       0.28526
データ１８（ズームレンズ群倍率）
群   始面  広角無限遠 中間無限遠 望遠無限遠  広角近接   中間近接  望遠近接
1      1    0.00000    0.00000    0.00000   -0.12396   -0.12575   -0.13019
2      3   -0.25466   -0.30631   -0.40909   -0.21866   -0.25507   -0.32017
3      9   -0.57978   -0.77910   -0.89117   -0.58910   -0.80340   -0.94812
4     18    2.11454    2.30490    2.56299    2.10993    2.29275    2.53736
5     20    0.56567    0.54308    0.54327    0.56571    0.54328    0.54341
6     24    1.07307    1.07612    1.07424    1.07306    1.07608    1.07421
（数値実施例４）
数値実施例４のズームレンズ系は、図１０に示した実施の形態４に対応する。
データ１９（面データ）
面番号         r           d           nd         vd                
物面             ∞        可変                                   
1         86.39210     4.69050     1.62299    58.2               
2        611.12310        可変                                   
3         45.52900     1.20000     1.58913    61.3               
4         14.07110     9.67070                                   
5*       -48.33560     0.96360     1.50670    70.5               
6*        19.76260     2.63550                                   
7         26.68220     9.00000     1.84666    23.9               
8         79.24840        可変                                   
9(絞り)           ∞     1.50000                                   
10         20.30870     1.85330     1.48749    70.4               
11         49.08160     1.77620                                   
12       5000.00000     4.55370     1.56384    60.8               
13        -11.24110     0.01000     1.56732    42.8               
14        -11.24110     0.90000     1.89800    34.0               
15        -54.81250     0.42340                                   
16*      -380.14630     5.75810     1.61305    59.0               
17*       -13.99020        可変                                   
18         64.33100     0.90000     1.95375    32.3               
19         37.60050        可変                                   
20       -133.90100     0.90000     2.00069    25.5               
21         32.60750     0.63680                                   
22         36.26150     2.66650     2.00272    19.3               
23       -106.79560        可変                                   
24      -1063.46020     0.90000     2.00272    19.3               
25       5000.00000        可変                                   
26               ∞      BF                                       
像面             ∞
データ２０（非球面データ）
第5面
K= 0.00000E+00, A4=-1.31074E-05, A6= 1.64698E-08, A8=-1.27587E-10 
A10= 0.00000E+00 
第6面
K= 0.00000E+00, A4=-2.97964E-05, A6=-1.74664E-08, A8=-1.15692E-10 
A10= 3.35071E-13 
第16面
K= 0.00000E+00, A4=-7.46147E-05, A6=-9.51756E-07, A8= 1.36246E-08 
A10=-2.35134E-10 
第17面
K= 0.00000E+00, A4=-3.10283E-06, A6=-4.93474E-07, A8= 5.60174E-09 
A10=-8.93444E-11 
データ２１（各種データ）
ズーム比     2.79373
広角無限遠 中間無限遠望遠無限遠 広角近接  中間近接  望遠近接
焦点距離      18.5398   31.4515   53.3488   18.4486   31.0774   51.7950
Ｆナンバー     3.62280   4.65794   5.79657   3.62531   4.66781   5.82886
画角        40.6283   24.3906   14.6423   40.6946   24.4536   14.6217
像高        14.2000   14.2000   14.2000   14.2000   14.2000   14.2000
レンズ全長    130.0039  140.7005  159.1562  130.0039  140.7006  159.1562
ＢＦ        0.00000   0.00000   0.00000   0.00000   0.00000   0.00000
d0               ∞        ∞        ∞  869.9982  859.2881  840.8442 
d2           0.4999   17.9565   36.0093    0.4999   17.9565   36.0093 
d8          30.8362   14.6195    3.5935   30.8362   14.6195    3.5935 
d17          2.0000    2.0641    2.2353    2.3000    2.7410    3.7697 
d19          4.7233    9.7521   24.2514    4.4233    9.0753   22.7170 
d23          0.9999    1.4157    1.0747    0.9999    1.4157    1.0747 
d25         40.0063   43.9543   41.0537   40.0063   43.9543   41.0537 
入射瞳位置     25.5476   48.4157   78.2115   25.5476   48.4157   78.2115
射出瞳位置    -69.0336   -78.4498  -89.5245  -68.9204   -78.1962  -88.9604
前側主点位置   39.1095   67.2667   99.7654   39.0313   66.9773   98.7721
後側主点位置  111.4803  109.3040  105.7970  111.1860  108.5941  104.2905
データ２２（単レンズデータ）
レンズ     始面     焦点距離
1         1      160.9529
2         3      -35.0638
3         5      -27.5528
4         7       44.0532
5        10       69.5952
6        12       19.8985
7        14      -15.9029
8        16       23.5516
9        18      -96.4652
10        20      -26.1331
11        22       27.2509
12        24     -874.4953
データ２３（ズームレンズ群データ）
群   始面    焦点距離  レンズ構成長    前側主点位置  後側主点位置
1      1   160.95287     4.69050        -0.47419       1.33615
2      3   -22.21747    23.46980         3.70261       9.58379
3      9    24.59954    16.77470        10.96230      14.39593
4     18   -96.46520     0.90000         1.12716       1.55881
5     20  -13573.41747   4.20330      -530.26623    -550.12347
6     24  -874.49527     0.90000         0.07881       0.52946
データ２４（ズームレンズ群倍率）
群   始面  広角無限遠 中間無限遠 望遠無限遠  広角近接   中間近接   望遠近接
1      1    0.00000    0.00000    0.00000   -0.22715   -0.23064   -0.23690
2      3   -0.16937   -0.19537   -0.23223   -0.13245   -0.14729   -0.16605
3      9   -0.43108   -0.59381   -0.78796   -0.43736   -0.60953   -0.82690
4     18    1.44480    1.53538    1.65681    1.44166    1.52832    1.64057
5     20    1.04376    1.04406    1.04384    1.04376    1.04406    1.04383
6     24    1.04619    1.05075    1.04736    1.04619    1.05074    1.04731
（数値実施例５）
数値実施例５のズームレンズ系は、図１３に示した実施の形態５に対応する。
データ２５（面データ）
面番号         r           d           nd         vd                
物面             ∞        可変                                   
1         55.61300     4.61380     1.80420    46.5               
2        192.01630        可変                                   
3         58.42110     1.20000     1.62041    60.3               
4         11.91140     7.03390                                   
5*       -69.35250     0.90010     1.59170    60.6               
6*        19.08190     2.52370                                   
7         23.85940     8.98540     1.84666    23.8               
8         89.49350        可変                                   
9(絞り)           ∞     1.50000                                   
10         14.86110     1.51540     1.51633    64.0               
11         23.34520     1.53270                                   
12       -156.46490     3.72770     1.56384    60.8               
13         -9.89440     0.01000     1.56732    42.8               
14         -9.89440     0.90000     1.91082    35.2               
15        -63.75810     0.30010                                   
16*       167.11310     5.52740     1.61305    59.0               
17*       -12.52790        可変                                   
18         77.55400     0.90000     2.00069    25.5               
19         35.27960        可変                                   
20       -160.42530     0.90000     2.00100    29.1               
21        271.13660     0.30000                                   
22        146.47140     1.31790     2.00272    19.3               
23        552.35010     0.20000                                   
24         61.59570     2.02940     2.00272    19.3               
25        580.57650        可変                                   
26               ∞      BF                                       
像面             ∞
データ２６（非球面データ）
第5面
K= 0.00000E+00, A4=-3.42838E-05, A6= 1.94348E-07, A8=-1.16157E-09 
A10= 0.00000E+00 
第6面
K= 0.00000E+00, A4=-5.49023E-05, A6= 1.71933E-07, A8=-1.31016E-09 
A10= 4.48849E-13 
第16面
K= 0.00000E+00, A4=-1.02408E-04, A6=-7.89440E-07, A8= 6.46543E-09 
A10=-2.62898E-10 
第17面
K= 0.00000E+00, A4= 2.87052E-06, A6=-4.57856E-07, A8= 4.40941E-09 
A10=-1.31208E-10
データ２７（各種データ）
ズーム比     2.84301
広角無限遠 中間無限遠望遠無限遠 広角近接  中間近接  望遠近接
焦点距離      18.5401   31.4501   53.3497   18.4750   31.2096   52.7097
Ｆナンバー     3.62290   4.65814   5.79605   3.63035   4.68130   5.86577
画角        40.7881   24.7625   15.0380   40.7628   24.7335   14.9234
像高        14.2000   14.2000   14.2000   14.2000   14.2000   14.2000
レンズ全長    112.0032  125.4065  150.0011  112.0032  125.4065  150.0011
ＢＦ        0.00000   0.00000   0.00000   0.00000   0.00000   0.00000
d0               ∞        ∞        ∞  887.9944  874.5993  850.0005 
d2           0.4999   13.6037   27.6998    0.4999   13.6037   27.6998 
d8          18.8706    7.9738    1.8055   18.8706    7.9738    1.8055 
d17          2.0000    3.7471    4.2829    2.3000    4.4835    5.9215 
d19          4.6628   12.1252   29.3399    4.3628   11.3888   27.7013 
d25         40.0524   42.0392   40.9555   40.0524   42.0392   40.9555 
入射瞳位置     20.6877   40.4929   72.1542   20.6877   40.4929   72.1542
射出瞳位置    -70.5656   -88.3866  -136.4443  -70.3401  -87.6577  -133.5259
前側主点位置   34.3584   60.7515  104.6366   34.2855   60.4498  103.5565
後側主点位置   93.4883   93.9498   96.6017   93.1720   93.0996   94.1576
データ２８（単レンズデータ）
レンズ     始面     焦点距離
1         1       95.9018
2         3      -24.3569
3         5      -25.1954
4         7       36.1553
5        10       74.6576
6        12       18.5626
7        14      -12.9619
8        16       19.2350
9        18      -65.3730
10        20     -100.5842
11        22      198.4653
12        24       68.5848
データ２９（ズームレンズ群データ）
群   始面    焦点距離  レンズ構成長    前側主点位置  後側主点位置
1      1    95.90178     4.61380        -1.02713       1.06739
2      3   -18.45943    20.64310         1.91164       7.20292
3      9    24.34761    15.01330        10.50992      13.87314
4     18   -65.37300     0.90000         0.83414       1.27945
5     20   101.89581     4.74730         2.30171       4.45056
データ３０（ズームレンズ群倍率）
群   始面  広角無限遠 中間無限遠 望遠無限遠  広角近接   中間近接   望遠近接
1      1    0.00000    0.00000    0.00000   -0.12123   -0.12332   -0.12735
2      3   -0.25823   -0.31619   -0.41684   -0.22211   -0.26293   -0.32673
3      9   -0.58389   -0.76391   -0.88338   -0.59337   -0.78822   -0.94011
4     18    2.12364    2.32252    2.53635    2.11889    2.31067    2.51128
5     20    0.60377    0.58458    0.59564    0.60381    0.58471    0.59564
（数値実施例６）
数値実施例６のズームレンズ系は、図１６に示した実施の形態６に対応する。
データ３１（面データ）
面番号         r           d           nd         vd                
物面             ∞        可変                                   
1        110.99110     3.88570     1.64250    58.1               
2       1190.17150        可変                                   
3         39.91780     1.20000     1.60311    60.7               
4         12.00020     7.89670                                   
5*       -51.77530     0.90000     1.50670    70.5               
6*        21.59960     1.85050                                   
7         24.61470     5.55590     1.84666    23.8               
8         70.63870        可変                                   
9(絞り)           ∞     1.50000                                   
10         18.32960     1.79230     1.48749    70.4               
11         50.60210     1.39200                                   
12        -44.91160     3.53700     1.56384    60.8               
13        -10.15250     0.01000     1.56732    42.8               
14        -10.15250     1.11870     1.90366    31.3               
15        -29.22030     0.30000                                   
16*      -193.51470     5.83650     1.61305    59.0               
17*       -13.35890        可変                                   
18         73.55050     0.90000     1.91082    35.2               
19         38.12070        可変                                   
20        158.40730     0.90000     2.00100    29.1               
21         36.18280     0.68270                                   
22         43.61230     1.77700     2.00272    19.3               
23        426.09560        可変                                   
24               ∞      BF                                       
像面             ∞                                               
データ３２（非球面データ）
第5面
K= 0.00000E+00, A4=-2.46968E-05, A6= 4.43817E-08, A8=-5.67321E-10 
A10= 0.00000E+00 
第6面
K= 0.00000E+00, A4=-4.51031E-05, A6= 3.36975E-10, A8=-7.59930E-10 
A10= 2.34079E-12 
第16面
K= 0.00000E+00, A4=-9.32157E-05, A6=-6.69622E-07, A8= 4.89422E-09 
A10=-1.55127E-10 
第17面
K= 0.00000E+00, A4=-2.74317E-06, A6=-3.18666E-07, A8= 2.13051E-09 
A10=-5.86949E-11
データ３３（各種データ）
ズーム比     2.79475
広角無限遠 中間無限遠望遠無限遠 広角近接  中間近接  望遠近接
焦点距離      18.5406   31.4477   53.3504   18.4434   31.0593   51.8165
Ｆナンバー     3.62262   4.65802   5.79604   3.62518   4.66882   5.83558
画角        40.7435   24.3070   14.5678   40.7575   24.3500   14.5455
像高        14.2000   14.2000   14.2000   14.2000   14.2000   14.2000
レンズ全長    112.0225  129.7359  156.8986  112.0225  129.7359  156.8985
ＢＦ        0.00000   0.00000   0.00000   0.00000   0.00000   0.00000
d0               ∞        ∞        ∞  887.9585  871.2610  843.0950 
d2           0.4999   21.7269   44.8688    0.4999   21.7269   44.8688 
d8          24.4569   11.0043    2.2432   24.4569   11.0043    2.2432 
d17          2.0000    2.0578    2.0000    2.3000    2.7178    3.4231 
d19          3.9684    8.8145   23.8216    3.6684    8.1545   22.3984 
d23         40.0623   45.0974   42.9300   40.0623   45.0974   42.9300 
入射瞳位置     20.9211   46.8644   83.6661   20.9211   46.8644   83.6661
射出瞳位置    -64.5469   -74.4597  -87.1378  -64.4318  -74.2058   -86.5915
前側主点位置   34.1355   65.0304  104.3344   34.0523   64.7299  103.3430
後側主点位置   93.4748   98.2888  103.5000   93.1798   97.5874  102.0309
データ３４（単レンズデータ）
レンズ     始面     焦点距離
1         1      190.2467
2         3      -28.9175
3         5      -29.9561
4         7       42.2811
5        10       57.9016
6        12       22.4419
7        14      -17.7100
8        16       23.1218
9        18      -87.9497
10        20      -47.0204
11        22       48.3408
データ３５（ズームレンズ群データ）
群   始面    焦点距離  レンズ構成長    前側主点位置  後側主点位置
1      1   190.24675     3.88570        -0.24297       1.28034
2      3   -21.69848    17.40310         2.44920       6.19368
3      9    22.81336    15.48650        10.54476      14.20486
4     18   -87.94973     0.90000         0.98976       1.41299
5     20 -2605.95717     3.35970        -23.57224     -22.46214
データ３６（ズームレンズ群倍率）
群   始面  広角無限遠 中間無限遠 望遠無限遠  広角近接   中間近接   望遠近接
1      1    0.00000    0.00000    0.00000   -0.27277   -0.27946   -0.29152
2      3   -0.13312   -0.15306   -0.18292   -0.10098   -0.11131   -0.12464
3      9   -0.47543   -0.65247   -0.84961   -0.48244   -0.66982   -0.89160
4     18    1.50183    1.61137    1.75811    1.49825    1.60361    1.74191
5     20    1.02528    1.02721    1.02636    1.02527    1.02721    1.02636
以下の表１に、各数値実施例における各条件式の対応値を示す。
【０１１３】
【表１】
2017125884.tif 000004
以上のように、本開示における技術の例示として、実施の形態を説明した。そのために、添付図面および詳細な説明を提供した。
【０１１４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１５】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１６】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、監視カメラといった高画質が要求される撮影光学系に適用可能である。
【符号の説明】
【０１１７】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ａ      開口絞り
Ｓ      像面
【図１】
2017125884.tif 000005
【図２】
2017125884.tif 000006
【図３】
2017125884.tif 000007
【図４】
2017125884.tif 000008
【図５】
2017125884.tif 000009
【図６】
2017125884.tif 000010
【図７】
2017125884.tif 000011
【図８】
2017125884.tif 000012
【図９】
2017125884.tif 000013
【図１０】
2017125884.tif 000014
【図１１】
2017125884.tif 000015
【図１２】
2017125884.tif 000016
【図１３】
2017125884.tif 000017
【図１４】
2017125884.tif 000018
【図１５】
2017125884.tif 000019
【図１６】
2017125884.tif 000020
【図１７】
2017125884.tif 000021
【図１８】
2017125884.tif 000022
【図１９】
2017125884.tif 000023